(57)【要約】      （修正有）【課題】計時器の装飾要素のための移動機構を提供する。【解決手段】計時器の装飾要素２のための移動機構に関し、移動機構は、中心軸回りに回転可能であるように構成した円形駆動要素３であって、装飾要素２は、装飾要素２と一体で中心軸に平行である心軸により円形駆動要素３の上に組み付ける、円形駆動要素３、並びに装飾要素２自体の心軸回りに装飾要素２を回転運動駆動する及び／又は装飾要素２自体の心軸に沿って装飾要素２を並進運動駆動する第１の手段を含み、装飾要素２のための第１の駆動手段は、円形駆動要素３上に組み付け、円形駆動要素３の周辺に配置した固定作動手段と協働するように構成し、装飾要素２が、中心軸回りに回転する間、装飾要素２の心軸回りに回転する及び／又は装飾要素２の心軸に沿って移動するようにする。【選択図】図３
2019191165.tif 000002
【特許請求の範囲】
【請求項１】
計時器の装飾要素（２）のための移動機構において、前記移動機構は、中心軸回りに回転可能であるように構成した円形駆動要素（３）であって、前記装飾要素（２）は、前記装飾要素と一体で前記中心軸に平行である心軸（１６）により前記円形駆動要素（３）の上に組み付ける、円形駆動要素（３）、並びに前記装飾要素（２）自体の心軸（１６）回りに前記装飾要素（２）を回転運動駆動する及び／又は前記装飾要素（２）自体の心軸（１６）に沿って前記装飾要素（２）を並進運動駆動する第１の手段を含み、前記装飾要素（２）のための前記第１の駆動手段は、前記円形駆動要素（３）上に組み付け、前記円形駆動要素（３）の周辺に配置した固定作動手段と協働するように構成し、前記装飾要素（２）が、前記中心軸回りに回転する間、前記装飾要素（２）の心軸（１６）回りに回転する及び／又は前記装飾要素（２）の心軸（１６）に沿って移動するようにすることを特徴とする、移動機構。
【請求項２】
前記装飾要素（２）自体の心軸（１６）に沿って前記装飾要素（２）を並進運動駆動する前記第１の手段は、歯車列を含み、前記歯車列は、前記駆動要素（３）の周辺に配置した第１の固定作動手段と協働するように構成した少なくとも１つの第１の車セット（２６）、及び最後の車セット（３０）を備え、前記最後の車セット（３０）及び前記装飾要素（２）の前記心軸（１６）は、ねじ／ナット・システムを形成するように構成し、前記装飾要素（２）の前記心軸（１６）は、少なくとも前記第１の車セット（２６）が前記第１の固定作動手段と協働する際、前記心軸（１６）回りに回転することを制限するように更に構成し、前記歯車列の回転により、前記装飾要素（２）の前記心軸（１６）の並進が生じるようにすることを特徴とする、請求項１に記載の移動機構。
【請求項３】
前記装飾要素（２）自体の心軸（１６）回りに前記装飾要素（２）を回転運動駆動する前記第１の手段は、装飾要素（２）の心軸（１６）と少なくとも一体に回転する径方向触手（３４）を含み、前記装飾要素の前記心軸（１６）及び前記径方向触手（３４）は、前記駆動要素（３）上で自由回転するように組み付け、前記径方向触手（３４）は、第２の固定作動手段と協働するように構成し、前記第２の固定作動手段は、前記駆動要素（３）の周辺に設け、前記第２の固定作動手段と前記装飾要素（２）の前記心軸（１６）との間の距離を修正するように構成することを特徴とする、請求項１又は２に記載の移動機構。
【請求項４】
前記機構は、前記装飾要素（２）自体の心軸（１６）に沿って前記装飾要素（２）を並進運動駆動する前記第１の手段、及び前記装飾要素（２）自体の心軸（１６）回りに前記装飾要素（２）を回転運動駆動する前記第１の手段、並びに前記第１の固定作動手段及び前記第２の固定作動手段を含み、前記径方向触手（３４）は、前記最後の車セット（３０）の周囲に配設し、正方形体により、前記装飾要素（２）の前記心軸（１６）と一体に回転し、前記装飾要素（２）自体の心軸（１６）回りの前記装飾要素（２）の回転を可能にする一方で、前記装飾要素（２）自体の心軸（１６）に沿った前記装飾要素（２）の並進を可能にすることを特徴とする、請求項２又は３に記載の移動機構。
【請求項５】
前記装飾要素（２）の前記心軸（１６）は、雄ねじ領域（３２）を有し、前記最後の車セット（３０）は、対応する雌ねじを有し、前記装飾要素（２）の前記心軸（１６）の前記雄ねじ領域（３２）の周囲に組み付けることを特徴とする、請求項２又は４に記載の移動機構。
【請求項６】
前記第１の固定作動手段は、交互並進運動を生成するように構成することを特徴とする、請求項２又は４に記載の移動機構。
【請求項７】
前記第１の固定作動手段は、外歯を有する少なくとも１つの第１の内側ラック（４４）、及び内歯を有する第２の外側ラック（４５）を含み、前記ラックは、前記駆動要素（３）に同心であり、前記駆動要素（３）の周辺の枠上で前記第１の車セット（２６）の両側に固定して組み付け、前記第１の内側ラック（４４）及び前記第２の外側ラック（４５）は、交互に分散し、それぞれの歯部が前記第１の車セット（２６）と交互に協働するようにし、前記装飾要素（２）が交互に、前記装飾要素（２）の心軸（１６）に沿って前記駆動要素（３）に近づき、前記駆動要素（３）から離れるようにすることを特徴とする、請求項６に記載の移動機構。
【請求項８】
前記第２の固定作動手段は、前記駆動要素（３）に同心で、枠上に固定して組み付けたカム（３６）を含み、前記カム（３６）は、波形外形を有し、前記波形外形は、前記径方向触手（３４）と協働し、揺動回転運動を生成するように構成することを特徴とする、請求項３又は４に記載の移動機構。
【請求項９】
前記駆動要素（３）は、環形状であるように中心が中空であり、駆動冠体（６）を含むことを特徴とする、請求項１から８のいずれか一項に記載の移動機構。
【請求項１０】
前記機構は、前記中心軸回りに前記円形駆動要素（３）を回転駆動する第２の手段を含み、前記中心軸回りは、前記駆動冠体（６）と協働するように構成することを特徴とする、請求項９に記載の移動機構。
【請求項１１】
前記円形駆動要素（３）は、枠上に組み付けた少なくとも２つの滑り子（５０、５２）によって前記枠上で径方向に保持し、前記滑り子の一方は固定式であり、前記滑り子のもう一方は、可動式であることを特徴とする、請求項１から１０のいずれか一項に記載の移動機構。
【請求項１２】
請求項１から１１のいずれか一項に記載の移動機構を含む計時器。
【請求項１３】
前記計時器は、前記移動機構にエネルギーを供給する少なくとも１つのエネルギー蓄積器、前記移動機構のための調速器、及び前記移動機構のための制御機構を含み、前記制御機構は、ユーザの要求に応じて前記移動機構を始動、停止する第１の制御手段、及び前記エネルギー蓄積器内に残存するエネルギーが決定閾値に達した際、前記移動機構を停止するように構成した第２の制御手段を含むことを特徴とする、請求項１２に記載の計時器。
【請求項１４】
前記制御機構の前記第１の制御手段は、押しボタン、前記移動機構を停止させるストップ位置と、前記移動機構を始動させるゴー位置との間を移動させるように前記押しボタンと協働する作動カム、並びに前記作動カムの前記ストップ位置及び前記ゴー位置を触知し、前記作動カムの前記ストップ位置を検出した際の調速器係止位置と、前記調速器が自由である、前記作動カムの前記ゴー位置を検出した際の動作位置との間を移動させるように構成した第１の係止レバーを備えることを特徴とする、請求項１３に記載の計時器。
【請求項１５】
前記制御機構の前記第２の制御手段は、第２の係止レバー（８０）を含み、前記第２の係止レバー（８０）は、前記調速器が自由である、前記蓄積器のエネルギーが決定閾値よりも高い際の動作位置と、前記蓄積器のエネルギーが前記決定閾値に達した際の調速器係止位置との間を移動するように構成することを特徴とする、請求項１３又は１４に記載の計時器。
【請求項１６】
前記計時器は、前記エネルギー蓄積器に運動学的に接続したパワー・リザーブ表示車セット（８４）上に一体に組み付けたパワー・リザーブ指部（８２）を含み、前記パワー・リザーブ指部（８２）は、前記決定閾値に達した際、前記第２の係止レバー（８０）を押圧し、前記係止レバー（８０）を移動して前記調速器係止位置に入れるように構成することを特徴とする、請求項１５に記載の計時器。
【発明の詳細な説明】
【技術分野】
【０００１】
本発明は、計時器の装飾要素のための移動機構に関する。本発明は、そのような移動機構を含む計時器にも関する。
【背景技術】
【０００２】
この種の移動機構及び計時器は、例えば、本出願人による特許文献１に開示されている。装飾要素は、機械の鳥によって形成され、この機械の鳥は、胴体自体が、文字板に直交する軸回りに回転する一方で、頭部、尾部及び羽が、非直交軸回りに回転するように構成される。
【０００３】
ＥＰ２８８０４９８で提案する移動機構は、具体的には、止まり木の上に配置した鳥型の装飾要素又はオートマトンを備える。止まり木の上の鳥の装飾部品又はオートマトンとは異なる、複雑な複合運動で移動する装飾部品又はオートマトンを実装し得る計時器を提案するため、他の移動機構が求められている。
【先行技術文献】
【特許文献】
【０００４】
【特許文献１】欧州特許第ＥＰ２８８０４９８号
【発明の概要】
【発明が解決しようとする課題】
【０００５】
この目的で、本発明は、計時器の装飾要素のための移動機構に関する。
【課題を解決するための手段】
【０００６】
本発明によれば、前記移動機構は、中心軸回りに回転可能であるように構成した円形駆動要素であって、前記装飾要素は、前記装飾要素と一体で中心軸に平行である心軸により駆動要素の上に組み付ける、円形駆動要素、並びに装飾要素自体の心軸回りに前記装飾要素を回転運動駆動する及び／又は装飾要素自体の心軸に沿って前記装飾要素を並進運動駆動する第１の手段を含み、前記装飾要素のための前記第１の駆動手段は、円形駆動要素上に組み付けるか又は搭載され、円形駆動要素の周辺に配置した固定作動手段と協働するように構成し、装飾要素が、中心軸回りに回転する間、装飾要素の心軸回りに回転する及び／又は装飾要素の心軸に沿って移動するようにする。
【０００７】
有利には、装飾要素の心軸に沿って装飾要素を並進運動駆動する第１の手段は、歯車列を含み、歯車列は、駆動要素の周辺に配置した第１の固定作動手段と協働するように構成した少なくとも１つの第１の車セット、及び最後の車セットを備え、前記最後の車セット及び装飾要素の心軸は、ねじ／ナット・システムを形成するように構成し、装飾要素の心軸は、少なくとも第１の車セットが第１の固定作動手段と協働する際、心軸回りの回転を少なくとも制限又は妨害するように更に構成し、歯車列の回転により、装飾要素の心軸の並進が生じるようにする。
【０００８】
有利には、装飾要素の心軸回りに装飾要素を回転運動駆動する第１の手段は、装飾要素の心軸と少なくとも一体に回転する径方向触手を含み、装飾要素の心軸及び径方向触手は、駆動要素上で自由回転するように組み付け、前記径方向触手は、第２の固定作動手段と協働するように構成し、第２の固定作動手段は、駆動要素の周辺に配置し、径方向触手と中心軸との間の距離を修正するように構成する。
【０００９】
好ましくは、本発明の移動機構は、装飾要素自体の心軸に沿って装飾要素を並進運動駆動する第１の手段、及び装飾要素自体の心軸回りに装飾要素を回転運動駆動する前記第１の手段に加えて、第１の固定作動手段及び第２の固定作動手段を含む。
【００１０】
本発明による移動機構は、装飾要素を様々な複合運動で移動させることを可能にし、これにより、複雑な動きをもたらす。
【００１１】
他の特徴及び利点は、添付の図面を参照して、以下の説明から明らかになるであろう。以下の説明は、非限定的な例としてもたらす。
【図面の簡単な説明】
【００１２】
【図１】本発明による移動機構の斜視図である。
【図２】本発明による移動機構の斜視底面図である。
【図３】本発明による移動機構の部分斜視図である。
【図４】回転子受けの斜視図である。
【図５】駆動冠体の斜視図である。
【図６】回転子の斜視図である。
【図７】中枠、外歯を有する内側ラック、及び内歯を有する外側ラックの上面図である。
【図８】本発明の移動機構の上面図である。
【図９】外歯を有する内側ラックと嵌合する第１の車セットの断面図である。
【図１０】本発明の一変形形態による移動機構の断面図である。
【図１１】装飾要素が低位置にある、本発明の別の変形形態における移動機構の断面図である。
【図１２】装飾要素が高位置にある、図１１の変形形態における移動機構の断面図である。
【図１３】駆動要素の底面図である。
【図１４】可動滑り子の断面図である。
【図１５】動作位置における、移動機構の制御機構の第２の制御手段の図である。
【図１６】調速器係止位置における、移動機構の制御機構の第２の制御手段の図である。
【発明を実施するための形態】
【００１３】
図１を参照すると、計時器の装飾要素２の移動機構１は、前記装飾要素２を支持するように構成した円形駆動要素３を含む。ここで表す例において、円形駆動要素３は、計時器の文字板に対応する寸法で作製される。別の図示しない変形形態では、円形駆動要素が計時器文字板の一部のみを占めるような寸法で作製し得ることは明らかである。図示の変形形態では、円形駆動要素３は、その中心が環形状になるようにくり抜かれている。したがって、以下の説明では、「円形駆動要素」及び「環状駆動要素」は、参照番号３の部品を指定するのに同等に用いる。
【００１４】
有利には、円形駆動要素３は、図４から図６により詳細に示すように、環形状の回転子８及び回転子受け１０に加えて、可動文字板４、駆動冠体６を含む。回転子８、回転子受け１０、駆動冠体６及び可動文字板４は、互いに重なり、一体に組み付けられる。駆動冠体６は、可動文字板４と回転子受け１０との間に配設される。更に、図２、図３及び図９に示すように、円形駆動要素３は、回転子受け１０の下に組み付けたオートマトン受け１１を含み、回転子受け１０及びオートマトン受け１１は、装飾要素２、及び装飾要素２自体の心軸回りに装飾要素２を回転駆動させ、装飾要素２自体の心軸に沿って装飾要素２を並進駆動させる手段を支持するように構成し、以下で説明するように、この手段を「第１の駆動手段」と呼ぶ。オートマトン受け１１は、回転子受けの下に固着され、回転子８に対し同心形状を有し、以下で説明するように、駆動要素３の周辺で枠上に設けた固定作動手段に可能な限り近いようにする。
【００１５】
ここで表す変形形態では、駆動冠体６は、駆動冠体６の内側周縁部上に配設した内歯部１２を有し、内歯部１２の目的は、以下で説明する。
【００１６】
環状駆動要素３の中空中心は、固定文字板１４によって埋められ（図９を参照）、固定文字板１４は、枠と一体であり、時及び分を表示する針（図示せず）の心軸が横断する。固定文字板１４は、固定装飾要素１５を支持することができ、固定装飾要素１５は、固定文字板１４上に完全に配置されるか、又は部分的に環状駆動要素３の上にあるように配置される。
【００１７】
本発明によれば、円形駆動要素３は、円形駆動要素３自体の心軸回りに回転可能であるように構成され、円形駆動要素３の心軸は、円形駆動要素によって画定される平面に直交し、前記心軸を中央心軸と呼ぶ。中央心軸は、好ましくは針の心軸に平行であり、計時器ケースの心軸とは異なっていてもよい。この目的で、円形駆動要素３は、計時器枠上を枢動するように組み付けられる。
【００１８】
好ましくは、円形駆動要素３は、枠上に組み付けた少なくとも２つの滑り子によって枠上で径方向に保持され、滑り子の一方は固定式であり、もう一方の滑り子は可動式である。本例では、図１３及び図１４を参照すると、環状駆動要素３の内側に約１２０°で配置した３つの滑り子５０、５２があり、２つの滑り子５０は固定式であり、第３の滑り子５２は可動式である。２つの固定滑り子５０は、板４６に固定したピン５４上で、回転子８と接触して枢動するように組み付けられる。第３の可動滑り子５２は、可動滑り子支持体５６上で、軸５５回りに枢動するように組み付けられる。次に、前記可動滑り子支持体５６は、板４６上で軸５７回りに枢動するように組み付けられ、可動滑り子５２が回転子８と接触することを可能にする。可動滑り子ばね５８は、枠上に組み付けられ、その自由端は、可動滑り子支持体５６上に配置した支持体材６０上に載置される。可動滑り子５２は、環状駆動要素３の組立体の遊びを巻き取り、不要な径方向運動を除去し、最適な性能を保証する。
【００１９】
円形駆動要素３は、中心軸回りの回転駆動手段（「第２の駆動手段」と呼ぶ）と協働するように構成される。
【００２０】
有利には、円形駆動要素３を中心軸回りに回転駆動する前記第２の手段は、駆動冠体６と協働するように構成される。より正確には、円形駆動要素３を中心軸回りに回転駆動する第２の手段は、移動機構に動力供給するエネルギー源である香箱（図示せず）と協働する時方輪列の車セット２４を含む。前記車セット２４は、好ましくは、その枠が駆動冠体６の内側周縁部の近傍に配設され、内歯部１２と嵌合し、駆動冠体６を回転駆動し、これにより、環状駆動要素３の第１の駆動手段全体を回転駆動する。調速器又は速度調整器（図示せず）と協働する中間車２５も設ける。前記中間車セット２５は、好ましくは、その枠が駆動冠体６の内側周縁部の近傍に配設され、内歯部１２と嵌合し、駆動冠体６の回転速度を調整し、これにより、環状駆動要素３の全ての要素の回転速度を調整する。香箱から調速器への主歯車列、及び主歯車列から移動機構への第２の歯車列を設けることも可能であることは明らかである。
【００２１】
装飾要素２は、三次元物体であり、少なくとも１つの本体２ａを含み、本体２ａは、前記装飾要素２と一体である心軸１６により駆動要素３上に組み付けられる。より詳細には、装飾要素２の心軸１６は、心軸１６と同軸である管１７回りに自由に組み付けられ、中心軸に平行な駆動要素３のオートマトン受け１１上に組み付けられる。したがって、心軸１６は、中心軸からずれ、中心軸に平行である。したがって、心軸１６は、駆動要素３によって画定される平面に直交する。装飾要素の本体２ａは、ユーザの側で可動文字板４の上にあるように構成される。可動文字板４、駆動冠体６及び回転子受け１０はそれぞれ、装飾要素２の心軸１６を通過させるように構成した開口を含む。
【００２２】
装飾要素２は、任意の種類の人、花、石、魚等の動物を表すことができる。
【００２３】
図１１及び図１２に表す変形形態では、装飾要素２は、一体化本体２ａを有する。
【００２４】
本発明の例では、装飾要素２は、中心軸回りに回転可能である一方で、装飾要素２自体の心軸１６回りに回転し、装飾要素２自体の心軸１６に沿って並進移動するように組み付けられる。
【００２５】
この目的で、装飾要素２は、第１の手段によって、装飾要素２自体の心軸１６回りに回転駆動し、装飾要素２自体の心軸１６に沿って並進駆動し、第１の手段は、装飾要素２を装飾要素２の心軸１６回りに回転駆動し、装飾要素２の心軸１６に沿って並進駆動するものであり、装飾要素２を装飾要素２自体の心軸１６に対して並進回転駆動する前記第１の手段は、円形駆動要素３上に組み付けられるか又は搭載され、円形駆動要素３の周辺に配置した固定作動手段と協働するように構成し、前記装飾要素２が、中心軸回りに回転する間、前記装飾要素２の心軸１６回りに回転し、前記装飾要素２の心軸１６に沿って移動するようにする。
【００２６】
有利には、装飾要素２の心軸１６に沿って装飾要素２を並進運動駆動する第１の手段は、歯車列を含み、歯車列は、図示の例では３つの車セット、即ち、第１の車セット２６；中間車セット２８；及び最後の車セット３０を備え、第１の車セット２６は、第１のかな２６ａ及び第１の車２６ｂを備え、第１のかな２６ａ及び第１の車２６ｂは、以下で説明するように、駆動要素３の周辺に配置した外歯を有する少なくとも１つのラック及び内歯を有する１つのラック等の第１の固定作動手段と協働するように構成し、中間車セット２８は、第１のかな２６ａ及び中間車２８ｂと嵌合する中間かな２８ａを備え、最後の車セット３０は、最後のかな３０ａを備え、最後のかな３０ａは、装飾要素２の心軸１６と協働するように構成した中間車２８ｂ及び最後の車３０ｂと嵌合する。これら３つの車セット２６、２８、３０は、円形駆動要素３上で中心軸及び心軸１６に平行な軸回りに枢動するように組み付けられる。より詳細には、３つの車セット２６、２８、３０は、オートマトン受け１１と回転子受け１０との間に組み付けられ、３つの車セット２６、２８、３０が円形駆動要素３上に組み付けられるか又は搭載されるようにする。
【００２７】
有利には、最後の車セット３０及び装飾要素２の心軸１６は、ねじ／ナット・システムを形成するように構成される。この目的で、装飾要素２の心軸１６は、例えば長方形外形の雄ねじ領域３２を有し、最後の車セット３０の最後の車３０ｂは、雄ねじ領域３２に対応する、やはり長方形外形の雌ねじを有し、前記最後の車セット３０は、装飾要素２の心軸１６の雄ねじ領域３２の周囲に組み付けられる。
【００２８】
更に、装飾要素２の心軸１６は、少なくとも第１の車セット２６が第１の固定作動手段と協働する際、心軸１６自体の回りの回転を制限又は妨害するように構成され、歯車列の回転により、装飾要素２の心軸１６の並進を生じさせるようにする。例えば、正方形体を有する組立体を使用し、以下で説明する摺動ブロック機構を生成する。ねじ／ナット・システム及び正方形体の使用により、回転運動を並進運動に変換することが可能であり、これにより、装飾要素２の心軸１６は、前記装飾要素２が中心軸回りに回転する間、装飾要素２の心軸１６に沿って移動する。
【００２９】
装飾要素２の心軸１６回りに装飾要素２を回転運動駆動する第１の手段は、少なくとも装飾要素２の心軸１６と一体に回転する径方向触手３４、及び装飾要素２の心軸１６に平行な軸をもつ触手支持体３４ａ、腕部３４ｃの一端に組み付けた触手要素３４ｂを含み、腕部３４ｃは、触手支持体３４ａの基部から径方向に突出する。触手要素３４ｂは、例えば、腕部３４ｃの端部に固定した心軸３４ｄを押圧するルビーとすることができる。
【００３０】
触手支持体３４ａは、摺動ブロック機構をもたらす正方形体により、装飾要素の心軸１６上に組み付け、径方向触手３４が、並進ではなく、装飾要素２の心軸１６と一体に回転し、装飾要素２の心軸１６回りの回転を可能にする一方で、上述したように、前記装飾要素２が、装飾要素２自体の心軸１６に沿って並進することを可能にする。
【００３１】
径方向触手３４の触手支持体３４ａの基部は、最後の車セット３０の最後の車３０ｂの周囲に配設され、径方向触手３４及び装飾要素２の心軸１６は、駆動要素３上で管１７回りに自由回転するように組み付けられる。
【００３２】
径方向触手３４の触手要素３４ｂは、第２の固定作動手段と協働するように構成し、第２の固定作動手段は、駆動要素３の周囲に設け、前記第２の固定作動手段と装飾要素の心軸１６との間の距離を修正するように構成し、これにより、腕部３４ｃを枢動運動で強制的に移動させ、したがって、径方向触手３４及び装飾要素２の心軸１６を回転させる。
【００３３】
有利には、図７及び図８を参照すると、第２の固定作動手段は、カム３６を備え、カム３６は、駆動要素３に同心であり、枠上に固定して組み付けられる。好ましくは、カム３６は、中枠２２内に統合され、中枠２２の内側には、本発明の移動機構を備える計時器ムーブメントが配置される。
【００３４】
好ましくは、前記カム３６は、径方向触手３４の触手要素３４ｂと協働するように構成した波形外形を有し、触手要素３４の接触点をカム３６の中心に向かって動かし、次に、カム３６から遠ざけ、こうして揺動回転運動を生成するようにする。
【００３５】
更に、図２及び図８に示すように、回転子受け１０上に、中間レバー４０と協働する径方向触手ばね３８を設け、中間レバー４０は、触手要素３４ｂが常にカム３６の外形と接触し続けるように構成する。この目的で、中間レバー４０は、その自由端において、径方向触手３４の腕部３４ｃを押圧するように構成したくちばし部４２を有する。
【００３６】
装飾要素がその心軸回りに回転運動でのみ移動する本発明の別の変形形態では、径方向触手及び装飾要素の心軸は、一体であるか又は一体化することができる。
【００３７】
有利には、第１の車セット２６の第１の車２６ｂと協働する第１の固定作動手段は、交互並進運動をもたらすように構成する。好ましくは、図７及び図９を参照すると、第１の固定作動手段は、外歯を有し、中心軸に可能な限り近く配設した少なくとも１つの内側ラック４４、及び内歯を有し、中心軸から可能な限り遠く配設した第２の外側ラック４５を含み、外歯部及び内歯部は、第１の車セット２６の方向で配置される。内側ラック４４及び外側ラック４５は、要素３を駆動するように同心であり、駆動要素３の周辺で、枠、即ち、ここでは中枠２２上に固定して組み付けられ、第１の車セット２６の両側に配置されるようにする。
【００３８】
内側ラック４４及び外側ラック４５は、中枠２２の縁部上に交互に配置され、それぞれの外歯部及び内歯部が、駆動要素が中心軸回りに回転した際に第１の車セット２６の第１の車２６ｂと交互に協働し、歯車列を一方の方向で回転させ、次にもう一方の方向で回転させるようにし、装飾要素２が交互に、装飾要素２の心軸１６に沿って並進運動で駆動要素３に近づき、駆動要素３から離れるようにする。
【００３９】
ねじ／ナット・システム及び正方形体の使用により、交互回転運動を交互並進運動に変換することが可能であり、装飾要素２の心軸１６は、前記装飾要素２が中心軸回りに回転する間、図１２に示す高位置まで上に移動するか、又は図１１に示す低位置まで下に移動する。
【００４０】
第１の車２６ｂの歯部は、ラックとの嵌合端部において、第１の車２６ｂが次のラックとの嵌合に良好な位置にあるように計算される。
【００４１】
更に、図２及び図９に示すように、ばね４８を設け、ばね４８は、第１の車セット２６を押圧し、第１の車セット２６をわずかに永続的に制動し、したがって、遊びによる不要な動作を防止するように構成する。
【００４２】
３つの車セット２６、２８、３０の比率は、第１の車セット２６が進行する回転角度を乗算するように選択する。これらの比率は、装飾要素２の所望の軸方向進行値及びラックの長さによって変わる。
【００４３】
図３及び図１０に示す変形形態では、装飾要素２は、２つの要素から形成した本体、即ち、事実上の本体２ａ及び頭部２ｂを含む。本体２ａは、図１１及び図１２の変形形態の一体化本体２ａと同じように、本体２ａの心軸に沿った交互の並進運動、及び本体２ａの心軸回りの揺動回転運動で移動する。同一の要素は、同じ参照数字で表す。本変形形態では、頭部２ｂは、本体２ａが自由に回転するように組み付けられるプラットフォーム７０を含み、前記プラットフォーム７０は、本体２ａと装飾要素の心軸１６との間に挿入され、プラットフォーム７０が、本体２ａと依然として一体である心軸１６上に載置されるようにする。
【００４４】
頭部２ｂは、心軸７２も含み、心軸７２は、心軸１６に平行であり、可動文字板４、駆動冠体６及び回転子受け１０にそれぞれ設けた開口に摺動可能に組み付けられる。管７２及び前記開口は、好ましくは、円形状であり、頭部２ｂが心軸７２回りに回転しないようにする。したがって、頭部２ｂは、本体２ａに対して回転する状態で固定され、本体２ａが本体２ａ自体の心軸回りに揺動回転運動で移動する際、前記本体２ａが頭部２ｂに対して連接する印象を与える。
【００４５】
頭部２ｂは、本体２ａと関連して、心軸１６に対して交互並進運動のみで移動する。本体２ａは、上記のように、交互並進運動で本体２ａ自体の心軸１６に沿って移動すると、心軸１６が上昇するにつれて、心軸１６がプラットフォーム７０を押圧し、プラットフォーム７０を本体２ａと同時に押し上げる。頭部２ｂは、本体２ａに付随して上昇する。心軸１６が降下するにつれて、本体２ａと一体である心軸１６は、前記本体２ａを再度下に移動させ、プラットフォーム７０を押圧し、プラットフォーム７０を下方に押す。したがって、頭部２ｂは、本体２ａに付随して降下する。
【００４６】
移動機構の駆動要素３には、香箱等の少なくとも１つの自律エネルギー蓄積器によってエネルギーを供給することができ、この自律エネルギー蓄積器は、ムーブメントのエネルギー蓄積器から独立しており、その速度は、調速器によって調整される。香箱は、時方輪列の車セット２４に運動学的に接続されるように構成され、調速器は、中間車２５に運動学的に接続される。
【００４７】
有利には、本発明による移動機構は、計時器ムーブメントの独立した制御機構によって始動、停止することができる。
【００４８】
有利には、そのような制御機構は、２つの機能を加えるように構成した制御手段を備える。即ち、第１の制御手段は、ユーザの要求に応じた移動機構の始動（ゴー）及び停止（ストップ）から構成される第１の機能を加えるように構成し、第２の制御手段は、自律エネルギー蓄積器のエネルギーが移動機構の良好な速度及び適切な動作を保証するには低すぎる際、及び残存するエネルギーが決定エネルギー閾値に達した際の移動機構の停止から構成される第２の機能を加えるように構成する。この第２の機能により、ユーザがストップ指示を与えていない場合でさえ、移動機構が単独で停止することを可能にする。
【００４９】
第１のストップ及びゴー機能を実施するため、制御機構の第１の制御手段は、ストップ及びゴー押しボタンを備える押しりゅうず、移動機構を停止させるストップ位置と、移動機構を始動させるゴー位置との間を移動させることができる作動カムを含むことができ、前記作動カムは、一方で、押しボタンによって作動される作動レバーと協働し、もう一方で、第１の係止レバーと協働し、第１の係止レバーは、作動カムのストップ位置及びゴー位置を触知し、例えば、作動カムのストップ位置を検出した際、調速器に運動学的に接続した中間車２５を係止することによる調速器係止位置と、作動カムのゴー位置を検出した際、前記中間車２５を係止しない、したがって、調速器が自由である動作位置との間を移動させるように構成される。
【００５０】
香箱内のエネルギーが不十分になった際に第２の停止機能を実施するために、制御機構の第２の制御手段は、図１５及び図１６に示すように、第２の係止レバー８０を含むことができ、第２の係止レバー８０は、蓄積器のエネルギーが決定閾値よりも高い際、調速器に運動学的に接続した中間車２５を係止しないため、調速器が自由である動作位置（図１５を参照）と、例えば、蓄積器のエネルギーが前記決定閾値に達した際、前記中間車２５を係止することによる調速器係止位置（図１６を参照）との間を移動するように構成する。この目的で、エネルギー蓄積器に運動学的に接続したパワー・リザーブ表示車セット８４上に一体に組み付けたパワー・リザーブ指部８２を設け、前記パワー・リザーブ指部８２は、決定エネルギー閾値に達した際、第２の係止レバー８０上に設けたピン８６を押圧するように構成する。パワー・リザーブ指部８２がピン８６を押圧すると、第２の係止レバー８０は、第２の係止レバー８０の軸８８回りに傾き、係止位置に入り、図１６に示すように、中間車セット２５を係止する。エネルギー蓄積器が巻き上げられ、蓄積器のエネルギーが決定閾値よりも再度高くなると、パワー・リザーブ車セット８４によって駆動されるパワー・リザーブ指部８２は、ピン８６から遠ざかり、これにより、第２の係止レバー８０は、中間車２５から遠ざかり、図１５に示すように、第２の係止レバー８０の動作位置に戻る。自由端が第２の係止レバー８０上に配置したピン９２と協働するばね９０を設け、前記第２の係止レバー８０を傾け、パワー・リザーブ指部８２がもはやピン８６を押圧しない動作位置に再度戻すようにする。この制御機構により、押しボタンがゴー位置にあるケースでは、ユーザがエネルギー蓄積器を巻き始めるとすぐに、遅滞なく移動機構を再開させることが可能になる。
【００５１】
本発明による移動機構を動作させるため、制御機構は、押しボタンを押圧してゴー位置にすることによって作動される。次に、駆動要素３は、車セット２４を介して回転し、車セット２４は、エネルギー蓄積器によって動力供給され、駆動冠体６と嵌合する。駆動要素３は、車セット２４と共に、装飾要素２、装飾要素自体の心軸１６に沿って装飾要素を並進運動で稼働させる第１の駆動手段２６、２８、３０、及び装飾要素自体の心軸１６回りに装飾要素を回転運動で稼働させる第１の駆動手段３４を支持する。
【００５２】
駆動要素３上に組み付けるか又は搭載した歯車列の第１の車２６ｂが内側ラック４４の手前を通過すると、第１の車２６ｂが一方向に回転し、これにより、第１のかな２６ａの回転が生じ、次に、車セット２８及び３０の回転が生じる。最後の車３０ｂの回転により、ねじ／ナット・システム及び正方形体のため、心軸１６の一方向への並進運動、したがって、装飾要素２の同じ方向での並進運動が生じる。同時に、カム３６の外形上での触手要素３４ｂの転動又は摩擦感知動作により、装飾要素２の心軸１６回りの装飾要素２の揺動回転が生じ、このため、装飾要素２は、中心軸回りに回転する間、複雑な複合運動で移動し、複雑な複合運動には、装飾要素２の心軸１６に沿った一方向への並進運動、及び装飾要素２の心軸１６に沿った揺動回転運動を含む。
【００５３】
駆動要素３上に組み付けるか又は搭載した歯車列の第１の車２６ｂが外側ラック４５の１つの手前を通過すると、第１の車２６ｂは、もう一方の方向に回転し、これにより、第１のかな２６ａの回転が生じ、次に、車セット２８及び３０の回転が生じる。最後の車３０ｂの回転により、ねじ／ナット・システム及び正方形体のため、心軸１６のもう一方の方向への並進運動、したがって、装飾要素２のもう一方の方向での並進運動が生じる。やはり、同時に、カム３６の外形上での触手要素３４ｂの転動又は摩擦感知動作により、装飾要素２の心軸１６回りの装飾要素２の揺動回転が生じ、このため、装飾要素２は、中心軸回りに回転する間、複雑な複合運動で移動し、複雑な複合運動には、装飾要素２の心軸１６に沿ったもう一方の方向への並進運動、及び装飾要素２の心軸１６に沿った揺動回転運動を含む。
【００５４】
駆動要素３上に組み付けた歯車列の第１の車２６ｂがラック４４、４５に直面しない場合、心軸１６は、もはや並進駆動せず、装飾要素２は、中心軸回りに回転する間、装飾要素２の心軸１６に沿った揺動回転運動を含む複合運動で移動する。
【００５５】
したがって、駆動要素３が中心軸回りに一回転する間、装飾要素２は、複雑な複合運動で移動し、複雑な複合運動には、装飾要素２の心軸１６に沿った数回の上下運動、及び装飾要素２の心軸１６に沿った揺動回転運動を含む。
【００５６】
本発明は、説明した例に限定するものではない。特に、装飾要素の心軸回りの回転運動又は装飾要素に沿った並進運動のうち１つのみを実施することが可能である。
【符号の説明】
【００５７】
２  装飾要素
３  円形駆動要素
６  駆動冠体
１６  心軸
２６  第１の車セット
３０  最後の車セット
３２  雄ねじ領域
３４  径方向触手
３６  カム
４４  第１の内側ラック
４５  第２の外側ラック
【図１】
2019191165.tif 000003
【図２】
2019191165.tif 000004
【図３】
2019191165.tif 000005
【図４】
2019191165.tif 000006
【図５】
2019191165.tif 000007
【図６】
2019191165.tif 000008
【図７】
2019191165.tif 000009
【図８】
2019191165.tif 000010
【図９】
2019191165.tif 000011
【図１０】
2019191165.tif 000012
【図１１】
2019191165.tif 000013
【図１２】
2019191165.tif 000014
【図１３】
2019191165.tif 000015
【図１４】
2019191165.tif 000016
【図１５】
2019191165.tif 000017
【図１６】
2019191165.tif 000018
【外国語明細書】
2019191165000001.pdf